(57)【要約】      （修正有）【課題】無線リモコン電気製品の待機時消費電力管理装置を提供する。【解決手段】少なくとも１組の無線検知器１及び少なくとも１組のリモコン２により構成され、任意の無線検知器１外部には、交流電源（ＡＣ）に挿入するコンセント、電気製品コンセントを挿入可能な少なくとも１組の出力プラグ１２を備え、内部には、少なくとも１組のマイクロプロセッサー、少なくとも１組の無線伝送モジュール、少なくとも１組の電流感知器を備え、リモコン内部には、同様に少なくとも１組のマイクロプロセッサー、及び少なくとも１組の無線伝送モジュールを備え、リモコンと少なくとも１組の無線検知器１のペア設定が完了すると、リモコンは多数組の無線検知器１を同時に起動可能で、無線検知器１は電気製品が使用中、或いは待機状態であるかを、自らで判断することができ、前者では、電源をオフにせず電力供給を継続し、後者では、設定時間が過ぎた後に、電気製品への電源供給を自動的に停止する。【選択図】図１
0003149930.tif 000002
【実用新案登録請求の範囲】
【請求項１】
少なくとも１組の無線検知器及び少なくとも１組のリモコンにより構成され、
前記無線検知器外部には、交流電源(AC)に挿入するコンセント、電気製品コンセントを挿入可能な少なくとも１組の出力プラグを備え、内部には、少なくとも１組のマイクロプロセッサー、少なくとも１組の無線伝送モジュール、少なくとも１組の電流感知器を備え、前記リモコン内部には、同様に少なくとも１組のマイクロプロセッサー、及び少なくとも１組の無線伝送モジュールを備え、
前記リモコンと前記少なくとも１組の無線検知器のペア設定が完了すると、前記リモコンは多数組の無線検知器を同時に起動可能で、前記無線検知器は電気製品が使用中である、或いは待機状態であるかを、自らで判断することができ、前者では、電源をオフにせず電力供給を継続し、後者では、設定時間が過ぎた後に、電気製品への電源供給を自動的に停止し、このようにして、電気製品の待機時消費電力をゼロにすることを特徴とする無線リモコン電気製品の待機時消費電力管理装置。
【請求項２】
前記無線伝送モジュールは、Zigbee或いは他の無線プロトコルの通信技術を通信技術として採用することを特徴とする請求項１に記載の無線リモコン電気製品の待機時消費電力管理装置。
【請求項３】
前記無線検知器外部には、少なくとも１個のペア設定ボタン、少なくとも１個の待機時消費電力設定ボタン、少なくとも１個の手動起動ボタン、少なくとも１個の信号インジケーターを設置することを特徴とする請求項１に記載の無線リモコン電気製品の待機時消費電力管理装置。
【請求項４】
前記リモコンの外部には、少なくとも１個のペア設定ボタン、少なくとも１個の起動ボタンを設置することを特徴とする請求項１に記載の無線リモコン電気製品の待機時消費電力管理装置。
【請求項５】
前記無線検知器のペア設定ボタンと前記リモコンのペア設定ボタンは、同時に所定の時間押し、これによりペア設定は完成されることを特徴とする請求項３或いは４に記載の無線リモコン電気製品の待機時消費電力管理装置。
【請求項６】
前記無線検知器のペア設定ボタンと前記リモコンのペア設定ボタンの、ペア設定の過程において、信号インジケーターは点滅し、ペア設定作業が進行中であることを示すことを特徴とする請求項５に記載の無線リモコン電気製品の待機時消費電力管理装置。
【請求項７】
前記無線検知器の待機時消費電力設定ボタンは、電気製品を前記無線検知器の出力プラグに挿入後、一先ず前記電気製品を使用せず、先に前記手動起動ボタンを押し、次に前記待機時消費電力設定ボタンを所定の時間押し、設定を完了することを特徴とする請求項３に記載の無線リモコン電気製品の待機時消費電力管理装置。
【請求項８】
前記待機時消費電力設定ボタンの設定の過程において、前記信号インジケーターは点滅し、設定作業が進行中であることを示すことを特徴とする請求項７に記載の無線リモコン電気製品の待機時消費電力管理装置。
【請求項９】
前記リモコンの起動ボタンは、前記無線検知器を起動後、前記無線検知器の出力プラグに挿入される電気製品の電源は通電し、前記無線検知器は前記電気製品が使用中である、或いは待機状態であるかを、自らで判断することができ、前者では、電源をオフにせず電力供給を継続し、後者では、設定時間が過ぎた後に、電気製品への電源供給を自動的に停止し、このようにして、電気製品の待機時消費電力をゼロにすることを特徴とする請求項４に記載の無線リモコン電気製品の待機時消費電力管理装置。
【考案の詳細な説明】
【技術分野】
【０００１】
本考案は省エネ/節電装置に関し、特にリモコン操作による電気製品の待機時消費電力の検知器により電気製品の未使用時に、待機時消費電力検知器は自動的に電気製品の電源を完全にシャットダウンし、このようにして待機時消費電力をゼロにする省エネ/節電の目的を達成し、同時に自動的に電源をオフにするため、電線出火の可能性を回避することができる無線リモコン電気製品の待機時消費電力管理装置に関する。
【背景技術】
【０００２】
一般家庭には多くの電気製品があるが、一日の大部分は待機状態となっている。これら待機中の電気製品が消費するエネルギーは、待機時消費電力(Idle power consumption)と呼ばれる。
【０００３】
該待機時消費電力は毎月の電気料金を高騰させる他、徒に浪費される電力は二酸化炭素の排出量を拡大し、温室効果を加速する原因となっている。全世界には数億の家電製品がある。該電気製品が待機中で、使用されていない時、消費電力検知器により電源を自動的に、完全にシャットダウンし、待機中で使用されていない家電製品の消費電力をゼロにすることができれば、節約されるエネルギーは、地球の温暖化防止に大きな役割を果たすだろう。
【考案の開示】
【考案が解決しようとする課題】
【０００４】
本考案が解決しようとする課題は、待機中の電気製品の電源を自動的にシャットダウンし、待機時消費電力をゼロにすることで、省エネと二酸化炭素削減の効果を達成することができる無線リモコン電気製品の待機時消費電力管理装置を提供することである。
【課題を解決するための手段】
【０００５】
上記課題を解決するため、本考案は下記の無線リモコン電気製品の待機時消費電力管理装置を提供する。
無線リモコン電気製品の待機時消費電力管理装置は、少なくとも１組の無線検知器及び少なくとも１組のリモコンにより構成され、
該任意の無線検知器外部には、交流電源(AC)に挿入するコンセント、電気製品コンセントを挿入可能な少なくとも１組の出力プラグを備え、内部には、少なくとも１組のマイクロプロセッサー、少なくとも１組の無線伝送モジュール、少なくとも１組の電流感知器を備える。
該リモコン内部には、同様に少なくとも１組のマイクロプロセッサー、及び少なくとも１組の無線伝送モジュールを備える。
該リモコンと該少なくとも１組の無線検知器のペア設定が完了すると、該リモコンは多数組の無線検知器を同時に起動可能で、該無線検知器は電気製品が使用中である、或いは待機状態であるかを、自らで判断することができ、前者では、電源をオフにせず電力供給を継続し、後者では、設定時間が過ぎた後に、電気製品への電源供給を自動的に停止し、このようにして、電気製品の待機時消費電力をゼロにすることができる。
【考案の効果】
【０００６】
本考案は、待機中の電気製品の電源を自動的にシャットダウンし、待機時消費電力をゼロにすることで、省エネと二酸化炭素削減の効果を達成することができる。
【考案を実施するための最良の形態】
【０００７】
以下に図面を参照しながら本考案を実施するための最良の形態について詳細に説明する。図１、図２は本考案一実施形態による無線検知器において、第一実施形態の外観立体図で、図３は、本考案一実施形態によるリモコンの外観立体図である。
【０００８】
図１に示す無線検知器１の基本外形は、電源プラグで、交流電源(AC)に挿入するコンセント(wall outlet)１１、電気製品コンセントを挿入可能な出力プラグ（power outlet）１２を備える。
【０００９】
無線検知器１内部には、少なくとも１組のマイクロプロセッサー（MCU）、及び少なくとも１組のZigbee或いは他の無線プロトコルを通信技術とし、数値データを無線伝送する無線伝送モジュール（RF module）、少なくとも１組の電流感知器を備える。Zigbee或いは他の無線プロトコルの通信技術は、短距離(３０m以内)、低周波数の通信に適用され、構造が簡単であるという特徴を備える。
【００１０】
無線検知器１外部には、少なくとも１個のペア設定ボタン(connect key)１３、待機時消費電力設定ボタン（idle power press key）１４、手動起動ボタン(manual)１５を設置する。ペア設定ボタン(connect key)１３は、第一回の使用時に、リモコン２のペア設定ボタン２１と同時に数秒間押し、ペア設定(join)を行う必要があり、その間、信号インジケーター１６は点滅し、ペア設定作業が進行中であることを示す。ペア設定作業の完成後、無線検知器１は、リモコン２の制御を受ける。待機時消費電力設定ボタン１４の操作方法は、電気製品を無線検知器１の出力プラグ１２に挿入後、一先ず電気製品を使用せず（つまり、一先ず「テレビをつけない」等）、先に手動起動ボタン１５を押し（manual ON）、次に、待機時消費電力設定ボタンを数秒間押す。その間、信号インジケーター１６は点滅し、設定作業が進行中であることを示す。設定の完成後は、テレビ等を消すと、無線検知器１は、設定時間が過ぎると、テレビ等のメイン電源を自動的にオフにし、待機時消費電力ゼロの省エネ/節電を達成する。使用者はリモコン２を用い、手動起動ボタン１５を操作し、ある無線検知器１を単独で起動することができる。
【００１１】
各電源プラグ１２には１組の無線検知器１を対応させ、各組の無線検知器１はすべて独立した識別IDを有し、これにより、他の無線検知器１或いは他の無線電波の干渉を受け、誤作動することなく、正確に制御することができる。
【００１２】
図３に示すように、リモコン２内部には同様に、少なくとも１組のマイクロプロセッサー（MCU）、及び少なくとも１組のZigbee或いは他の無線プロトコルを通信技術とし、数値データを無線伝送する無線伝送モジュール（RF module）を備える。
【００１３】
リモコン２の外部には、少なくとも１個のペア設定ボタン(connect key)２１、起動ボタン(ON key)２２、信号インジケーター（LED）２３を設置する。
【００１４】
ペア設定ボタン２１は、第一回の使用時に、無線検知器１のペア設定ボタン１３と同時に数秒間押し、ペア設定(join)を行う必要があり、その間、信号インジケーター２３は点滅し、ペア設定作業が進行中であることを示す。ペア設定作業の完成後、リモコン２は無線検知器１を制御可能となる。
【００１５】
起動ボタン２２は、既にペア設定が完了した無線検知器１を起動することができる。
ONボタンを押した後、リモコン２が管制可能な範囲内に有る既にペア設定が完了した無線検知器１は、すべて起動され、電気製品の電源は通電する。この時、無線検知器１は、電気製品の待機時消費電力パラメーターを既に設定しているため、各無線検知器１がすべて通電し起動しても、無線検知器１は該電気製品が使用中である、或いは待機状態であるかを、自らで判断することができる。前者では、電源をオフにせず電力供給を継続し、後者では、設定時間が過ぎた後に、電気製品への電源供給を自動的に停止する。このようにして、電気製品の待機時消費電力をゼロにする。
【００１６】
つまり、リモコン２は、多数の無線検知器１にペア設定が可能で、しかも同時に起動することができる。
【００１７】
図４は、本考案一実施形態による無線検知器において、第二実施形態の外観立体図である。無線検知器１は、交流電源(AC)に挿入する延長コード１１aとコンセント１１、及び電気製品のコンセントを挿入可能な多数組の出力プラグ１２a-fを備える。無線検知器１外部には、少なくとも１個のペア設定ボタン１３、手動起動ボタン(manual)１５、信号インジケーター（LED）１６、出力プラグ１２a-fと同一数の待機時消費電力設定ボタン１４a-fを設置する。任意の出力プラグ１２a-fと任意の待機時消費電力設定ボタン１４a-fは、個別に独立した電流感知器を配置する。
【００１８】
一般家庭の多くの電気製品は、一日の大部分は待機状態となっており、電力の浪費であるばかりか、電力料金を増大させることにもなっている。エネルギーの無駄遣いを抑えるための従来の方式は、電気製品のコンセントを抜くことであった。しかし、コンセントの多くは部屋の隅に位置し、一々抜くのは困難である。これに対して本考案は、無線検知器１とリモコン２の対応を利用し、電気製品の電源を簡単、しかも自動的にオフ或いはオンすることができる。無線検知器１は電気製品の使用状態を自動的に監督、制御可能であるため、使用者の管理における面倒を縮減可能で、電源をオフにする必要があるプラグを正確に制御することができるため、自動的管理による省エネ/節電の目的を達成し、コンセントを抜く回数を減少させることで、プラグの使用寿命を延長することができる。
【００１９】
普通の家庭用電気製品の待機時消費電力を以下のように求める。
1.テレビ（２台）：１０W×２=２０W(待機１９hr/day)
2.音響機器、DVD：５W(待機２１hr/day)
3.コンピューター及び周辺設備(コンピューターCPU、モニター、プリンター、スキャナー等を含む)：４５W（待機２１hr/day）
4.電子レンジ：５W(待機２３hr/day)
5.洗濯機：５W(待機２２hr/day)
6.各種充電器：２W(待機２０hr/day)
7.クーラー(２台)：５W×２=１０W(使用１２hr/day)
8.保温機能付き炊飯器：５W(待機２２hr/day)
9.扇風機：３W(待機１２hr/day)
10.食器洗い機：５W(待機２２hr/day)
食器乾燥機５W(待機２２hr/day)
【００２０】
よって、一日の待機時消費電力は、計算により以下のようになる。
(２０×１９)+（５×２１）+(４５×２１)+(５×２３)+(５×２２)+(２×２０)+(１０×１２)+(５×２２)+(３×１２)+(５×２２)+(５×２２)=２１８１W(２.１８KW)
一ヶ月当たりの待機時消費電力は、以下のようになる。
２１８１×３０=６５４３０W(６５.４３０KW)=６５.４３度数
一年当たりの待機時消費電力は、以下のようになる。
６５４３０×１２=７８５１６０W(７８５.１６０KW)=７８５.１６０度数
電気料金を一度数NT$３.４６５とし計算すると、一年当たりの待機時消費電力料金は、以下のようになる。
７８５.１６×３.４６５= NT$２７２０.５８
【００２１】
台湾電力公司(Taiwan Power Company、TPC)の計算公式に基づけば、上記の無駄に消費した電力により排出された二酸化炭素は５００.７２８kgとなる。
【００２２】
これにより、１００万軒の家庭の年間待機時消費電力は合計７８,５１６,０００kwとなり、５００,７２７.９３８tの二酸化炭素を排出していることになる。
【００２３】
上記した数値は、大多数の家庭の待機時消費電力を効果的に低下させることができれば、家庭の電力料金支出を削減することができ、さらには地球温暖化防止に対して、大きく貢献できることを示している。
【図面の簡単な説明】
【００２４】
【図１】本考案一実施形態による無線検知器において、第一実施形態の外観立体図である。
【図２】本考案一実施形態による無線検知器において、第一実施形態の外観立体図である。
【図３】本考案一実施形態によるリモコンの外観立体図である。
【図４】本考案一実施形態による無線検知器において、第二実施形態の外観立体図である。
【符号の説明】
【００２５】
１  無線検知器
１１  コンセント
１１a  延長コード
１２  プラグ
１３  ペア設定ボタン
１４  待機時消費電力設定ボタン
１５  手動起動ボタン
１６  信号インジケーター
２  リモコン
２１  ペア設定ボタン
２２  起動ボタン
２３  信号インジケーター
【図１】
0003149930.tif 000003
【図２】
0003149930.tif 000004
【図３】
0003149930.tif 000005
【図４】
0003149930.tif 000006
【手続補正書】
【提出日】平成21年2月12日(2009.2.12)
【手続補正１】
【補正対象書類名】実用新案登録請求の範囲
【補正対象項目名】請求項２
【補正方法】変更
【補正の内容】
【請求項２】
前記無線伝送モジュールは、Zigbee（登録商標）或いは他の無線プロトコルの通信技術を通信技術として採用することを特徴とする請求項１に記載の無線リモコン電気製品の待機時消費電力管理装置。
【手続補正２】
【補正対象書類名】明細書
【補正対象項目名】０００９
【補正方法】変更
【補正の内容】
【０００９】
無線検知器１内部には、少なくとも１組のマイクロプロセッサー（MCU）、及び少なくとも１組のZigbee（登録商標）或いは他の無線プロトコルを通信技術とし、数値データを無線伝送する無線伝送モジュール（RF module）、少なくとも１組の電流感知器を備える。Zigbee（登録商標）或いは他の無線プロトコルの通信技術は、短距離（３０m以内）、低周波数の通信に適用され、構造が簡単であるという特徴を備える。
【手続補正３】
【補正対象書類名】明細書
【補正対象項目名】００１２
【補正方法】変更
【補正の内容】
【００１２】
図３に示すように、リモコン２内部には同様に、少なくとも１組のマイクロプロセッサー（MCU）、及び少なくとも１組のZigbee（登録商標）或いは他の無線プロトコルを通信技術とし、数値データを無線伝送する無線伝送モジュール（RF module）を備える。